(57)【要約】【課題】  使用者の趣味等に合わせて、カバーのデザインを変更し得るヘッドセットを提供する。【解決手段】  本体部２とスピーカ部３とからなり、スピーカ部３を使用者の耳孔に挿入することで装着されるヘッドセットである。このヘッドセットは、少なくともマイクロホン、回路基板及び電池を収容する本体ケース部４ａと、本体ケース部４ａの底面外側に設けられスピーカを収容するスピーカケース部４ｂとからなるケース部材４と、上記本体ケース部４ａの開放面側を覆って強固に取り付けられるカバー部材５と、カバー部材５の表面を覆って上記ケース部材４に取り付けられる装飾カバー部材８とを備えている。装飾カバー部材８は、可撓性を有する材料からなり、可撓性を利用してケース部材４から簡易に着脱自在である。【選択図】  図１
2005109946.tif 000002
【特許請求の範囲】
【請求項１】
本体部とスピーカ部とからなり、該スピーカ部を使用者の耳孔に挿入することで装着されるヘッドセットにおいて、
少なくともマイクロホン、回路基板及び電池を収容する本体ケース部と、該本体ケースの底面外側に設けられ且つスピーカを収容するスピーカケース部とからなるケース部材と、
上記本体ケース部の開放面側を覆って取り付けられる剛性のカバー部材と、
上記カバー部材の表面を覆って上記ケース部材に取り付けられる装飾カバー部材とを備えてなり、
該装飾カバー部材は、可撓性を有する材料から構成されるとともに、可撓性を利用して上記ケース部材から着脱自在とされていることを特徴とするヘッドセット。
【請求項２】
上記装飾カバーは、装飾の異なる複数種類の装飾カバーの中から選択して取り付けられることを特徴とする請求項１記載のヘッドセット。
【請求項３】
上記装飾カバー部材は、周縁部の相対向する位置に、上記ケース部材への取り付け用のフックがそれぞれ設けられていることを特徴とする請求項１記載のヘッドセット。
【請求項４】
上記ケース部材及び上記装飾カバー部材には、ストラップ取り付け用の孔部が、相対応する位置にそれぞれ設けられていることを特徴とする請求項１記載のヘッドセット。
【発明の詳細な説明】
【技術分野】
【０００１】
本発明は、マイクロホンとスピーカを収容して無線通信を可能とするヘッドセットに関する。
【背景技術】
【０００２】
近年、音声通信用である電話機及び携帯端末の周辺機器等として、ハンズフリーで無線通信可能なヘッドセットが提供され始めている。このヘッドセットでは、無線通信のためのマイクロホンやスピーカ、回路基板等がカバーにて密閉されたケース部材内に収容されている。このケース部材を密閉するカバーは、ケース部材内のマイクロホン等を保護するために、ある程度の剛性を有するとともに、外部からの衝撃によって容易に脱落しないようにケース部材に強固に取り付けられていることが必要である。（例えば、特許文献１等を参照）
【特許文献１】特開２００３−２２４６４５号公報
【発明の開示】
【発明が解決しようとする課題】
【０００３】
ところで、従来のヘッドセットでは、上述のようにカバーが硬質で且つケース部材に強固に取り付けられているため、当初から取り付けられているカバーをそのままにして使用し続けることが通常である。
【０００４】
しかしながら、使用者が長く使用している間には、たとえカバーのデザイン性を高くした場合であっても、使用者がそのデザインに飽きてしまう場合も考えられる。このような場合であっても、使用者自らがカバーを取り外して他のデザインのものに付け替えることは困難である。
【０００５】
そこで、本発明は、このような従来の実情に鑑みて提案されたものであり、例えば使用者の趣味等に合わせて、カバーのデザインを変更し得るヘッドセットを提供することを目的とする。
【課題を解決するための手段】
【０００６】
上述した目的を達成するために、本発明にかかるヘッドセットは、本体部とスピーカ部とからなり、該スピーカ部を使用者の耳孔に挿入することで装着されるヘッドセットにおいて、少なくともマイクロホン、回路基板及び電池を収容する本体ケース部と、該本体ケースの底面外側に設けられ且つスピーカを収容するスピーカケース部とからなるケース部材と、上記本体ケース部の開放面側を覆って取り付けられる剛性のカバー部材と、上記カバー部材の表面を覆って上記ケース部材に取り付けられる装飾カバー部材とを備えてなり、該装飾カバー部材は、可撓性を有する材料から構成されるとともに、可撓性を利用して上記ケース部材から着脱自在とされていることを特徴とする。
【０００７】
上述した構成の本発明にかかるヘッドセットは、ケース部材内に収容されるマイクロホン等の電子部品を保護するためのカバー部材とは別個に、可撓性を有する材料からなる装飾カバー部材を備えている。また、装飾カバー部材は、可撓性を利用して簡単に着脱可能である。
【０００８】
したがって、例えば装飾の異なる複数種類の装飾カバー部材を用意しておき、これらの中から使用者が選択して取り付けるようにすれば、使用者の好みに応じて任意の装飾カバー部材が取り付け可能である。また、デザインに飽きた場合等には、簡単に装飾カバー部材の付け替えが行える。
【発明の効果】
【０００９】
本発明に係るヘッドセットでは、カバー部材の表面を覆う装飾カバー部材が可撓性を有する材料からなるため、撓ませることでカバー部材から容易に外すことができるようになる。このため、本発明によれば、ヘッドセット表面に取り付けられるカバー部材が容易に着脱自在とされることで、使用者が手軽に他のデザインの装飾カバー部材に付け替えることができるようになり、ヘッドセットのデザインのバリエーションを増やすことができるようになる。
【発明を実施するための最良の形態】
【００１０】
以下、本発明に係るヘッドセットの具体的な実施の形態について図面を参照しながら詳細に説明する。
【００１１】
本発明のヘッドセット１は、図１に示すように、本体部２と、スピーカ部３とからなり、このスピーカ部３を使用者の耳孔に挿入することで装着される。そして、本体部２には、装着時に装着者の口の近くまで張り出す先端部分に集音用のマイクロホンが収容されており、装着者の耳孔内に挿入されるスピーカ部３には、スピーカがそれぞれ収容されている（以下、このようにマイクロホンが収容された側を前方と称し、この前方とは反対側の部分を後方と称する。このヘッドセットを構成する他の部材についても同様とする。）。
【００１２】
上述したような構成のヘッドセット１は、略楕円形の浅皿状を呈する本体ケース部４ａと、この本体ケース部４ａの底面外側に設けられたスピーカケース部４ｂとからなるケース部材４と、このケース部材４の本体ケース部４ａの開放面側を覆うように強固に取り付けられる略楕円形状のドーム状を呈するカバー部材５と、ケース部材４のスピーカケース部４ｂの開放面側を覆うように強固に取り付けられるスピーカカバー部材６とからなる。
【００１３】
ケース部材４には、本体部２を構成する本体ケース部４ａ部分に上述したマイクロホンや、回路基板等の電子部品、及びこれらの電源となる電池が収容されている。また、ケース部材４には、ケース部材４の本体ケース部４ａの後方側に孔部を有するストラップ取付部７が設けられている。さらに、ケース部材４のスピーカケース部４ｂ部分には、スピーカが収容されており、スピーカ部３を構成している。
【００１４】
カバー部材５は、ある程度剛性を有する硬質の材料にて形成され、上述したように本体ケース部４ａの開放面側を覆うように強固にカバー部材４に対して取り付けられる。ここでは、カバー部材５は、後述の装飾カバー部材の装飾（例えば、色彩等）に極力影響を及ぼさないように、透明プラスチックにより形成されている。
【００１５】
カバー部材５は、本体ケース部４ａに収容されているマイクロホンや回路基板等を保護する役割を果たすが、その一部に開口部が形成され、回路基板に設けられたスイッチ等を操作するボタン等が取り付けられている。本例では、カバー部材５の両側部に、操作ボタンを外部に臨ませるボタン用孔部５ａがそれぞれ形成されている。
【００１６】
スピーカカバー部材６は、上述のカバー部材５と同様に硬質の材料にて形成され、上述したようにスピーカケース部４ｂの開放面側を覆うように強固にカバー部材４に対して取り付けられる。なお、スピーカカバー部材６は、透明プラスチックではなく、例えばスピーカケース部４ｂと同色のプラスチック材料により形成されている。そして、このスピーカカバー部材６は、スピーカケース部４ｂに収容されているスピーカを物理的に保護する。
【００１７】
また、スピーカカバー部材６は、上述したように装着時に使用者の耳に挿入されるスピーカ部３を構成するが、内部に収容されたスピーカからの音を外部、具体的には使用者の耳内に放射するための複数個の放音孔（図示は省略する。）が形成されている。
【００１８】
そして、ヘッドセット１には、上記カバー部材５の表面を覆う装飾カバー部材８が取り付けられている。この装飾カバー部材８は、可撓性を有する材料、例えば肉厚の薄い樹脂等により、図２乃至図５に示すように、上記カバー部材５に比して大きな略楕円形のドーム状を呈して形成されてなる。
【００１９】
装飾カバー部材８は、前方側に一対の第１のフック９が、後方側に第２のフック１０が形成されている。第１のフック９は、装飾カバー部材８の前方側の縁部が、内側に張り出すように膨出形成されてなり、また、第２のフック１０は、装飾カバー部材８の後方側、より具体的には本体ケース４ａに設けられたストラップ取付部７の孔部に対応する位置に立ち上がって形成されている。そして、この第２のフック１０は、先端部分に、内側に突き出る突出部１０ａが形成されている。
【００２０】
この装飾カバー部材８の外側表面には、例えば塗装や印刷等の方法で、模様や写真等のデザインが施されている。
【００２１】
また、装飾カバー部材８は、両側部にそれぞれ、図示を省略する操作ボタンを外方に臨ませるための切欠き１１が形成されている。さらに、装飾カバー部材８は、ケース部材４の本体ケース部４ａに設けられたストラップ取付部７と対応位置するように、該ストラップ取付部７と同様に孔部を有するストラップ取付部１２が設けられている。
【００２２】
このような構成の装飾カバー部材８は、ケース部材４に取り付けられたカバー部材５に被せるようにしてケース部材４に取り付けられる。このとき、装飾カバー部材８は、図１に示すように、第１のフック９を本体ケース部４ａの前方側に形成されたスリット１３内に挿入するとともに、第２のフック１０を本体ケース部４ａに設けられたストラップ取付部７の孔部に挿入し且つ第２のフック１０の先端の突出部１０ａを本体ケース部４ａに係合させることによってケース部材４に取り付けられる。このような装飾カバー部材８では、第１のフック９のスリット１３への挿入や第２のフック１０の本体ケース部４ａへの係合が、上述したように装飾カバー部材８が可撓性を有する材料により形成されているため容易に行うことができ、したがって、ケース部材４への取り付けを容易に行うことができるようになる。
【００２３】
また、この装飾カバー部材８は、上述したように可撓性を有する材料により形成されているため、ケース部材４からの取り外しを容易に行うことができる。具体的には、装飾カバー部材８は、両側部を内側に押して撓ませることで、第１のフック９がより前方側に、すなわちスリット１３から抜ける方向に変位し、また、第２のフック１０がより後方側に、すなわち突出部１０ａの本体ケース部４ａへの係合が外れる方向に変位する。このため、第１及び第２のフック９，１０が外れやすくなり、装飾カバー部材８をケース部材４から容易に取り外すことができるようになる。
【００２４】
なお、ヘッドセット１にあっては、上述したように装飾カバー部材８のストラップ取付部１２が、本体ケース部４ａのストラップ取付部７と対応位置するように設けられているため、重なった両方のストラップ取付部７，１２にストラップを取り付けることで、両者を縛り付ける状態となり、強固に装飾カバー部材８がケース部材４に取り付けられ、より確実に装飾カバー部材８の脱落を防止することができるようになる。
【００２５】
このように、ヘッドセット１では、ケース部材４に強固に取り付けられるカバー部材５の外側に、着脱が容易な装飾カバー部材８を取り付ける構成とすることで、この装飾カバー部材８として、例えば樹脂色を変更した種々の色のものや、他の模様等がデザインされたもの等を複数種類用意しておき、これらの中から使用者が選択して付け替えることによって、使用者の好み等に応じてヘッドセット１自体のデザインを容易に変更することができるようになる。
【００２６】
また、ヘッドセット１では、本体ケース部４ａに係合する第２のフック１０がストラップ取付部７内に収まるため、該第２のフック１０がヘッドセット１の外観上のデザインを害することが無い。その一方で、使用者が初めてヘッドセット１を目にした場合であっても、装飾カバー部材８の取り付け構造が簡易であるため、第２のフック１０の係合を外せば装飾カバー部材８が取り外し得ることを容易に理解することもできる。
【図面の簡単な説明】
【００２７】
【図１】本発明に係るヘッドセットの側面図であり、装飾カバー部材のみを分離して示す図である。
【図２】装飾カバー部材の平面図である。
【図３】図２中Ａ−Ａ線における縦断面図である。
【図４】図２中Ｂ−Ｂ線における縦断面図である。
【図５】装飾カバー部材の底面図である。
【符号の説明】
【００２８】
１        ヘッドセット
２        本体部
３        スピーカ部
４        ケース部材
４ａ      本体ケース部
４ｂ      スピーカケース部
５        カバー部材
５ａ      ボタン用孔部
６        スピーカカバー部材
７        ストラップ取付部
８        装飾カバー部材
９        第１のフック
１０      第２のフック
１０ａ    突起部
１１      切欠き
１２      ストラップ取付部
１３      スリット
【図１】
2005109946.tif 000003
【図２】
2005109946.tif 000004
【図３】
2005109946.tif 000005
【図４】
2005109946.tif 000006
【図５】
2005109946.tif 000007